(57)【要約】【課題】スピーカ搭載型電子機器において、エンクロージャサイズの変化に応じて音響条件を変化させて、音質を向上させることが可能な電子機器、プロジェクタ及び電子機器の制御方法を提供すること。【解決手段】スピーカ２０搭載型の電子機器１０であって、スピーカのエンクロージャサイズ２２を変更する手段と、スピーカのエンクロージャサイズを検出する手段３０と、エンクロージャサイズの検出結果に基づき音響設定を変化させる音響設定変更手段４６、４４とを含む。【選択図】図１
2009027595.tif 000002
【特許請求の範囲】
【請求項１】
スピーカ搭載型の電子機器であって、
スピーカのエンクロージャサイズを変更する手段と、
スピーカのエンクロージャサイズを検出する手段と、
エンクロージャサイズの検出結果に基づき音響設定を変化させる音響設定変更手段と、
を含む事を特徴とする電子機器。
【請求項２】
請求項１において、
前記音響設定変更手段は、
エンクロージャサイズに応じてイコライジングの設定を変更することを特徴とする電子機器。
【請求項３】
請求項１乃至２のいずれかにおいて、
前記音響設定変更手段は、
エンクロージャサイズに応じてサラウンドの設定を変更することを特徴とする電子機器。
【請求項４】
請求項２において、
前記音響設定変更手段は、
エンクロージャサイズが大きくなると、エンクロージャサイズが小さい場合に比べ、低音部を強調するようにイコライジングの設定を変更することを特徴とする電子機器。
【請求項５】
請求項１乃至４のいずれかにおいて、
入力情報に基づきエンクロージャサイズと音響設定内容の対応関係を設定する対応関係設定部を含み、
前記音響設定変更手段は、
設定された対応関係に従って音響設定の少なくとも１つを変更することを特徴とする電子機器。
【請求項６】
請求項１乃至５のいずれかにおいて、
前記電子機器はプロジェクタであることを特徴とする電子機器。
【請求項７】
スピーカ搭載型の電子機器の制御方法であって、
スピーカのエンクロージャサイズを変更するステップと、
スピーカのエンクロージャサイズを検出するステップと、
エンクロージャサイズの検出結果に基づき音響設定を変化させるステップと、
を含むことを特徴とする電子機器の制御方法。
【発明の詳細な説明】
【技術分野】
【０００１】
本発明は、電子機器、プロジェクタ及び電子機器の制御方法に関する。
【背景技術】
【０００２】
従来より、光源から出射された光束を光学的に処理して光学像を形成し、投写レンズにより光学像を拡大投写する投写型表示装置が知られている。最近では投写型表示装置にスピーカを搭載して画像に連動させて音を出力するように構成されているものも多い。
【特許文献１】特開２００４−６９９６６号公報
【発明の開示】
【発明が解決しようとする課題】
【０００３】
ところがスピーカ搭載型のプロジェクタでは十分なエンクロージャサイズが確保できず、音質の向上を図る上での制限が多かった。
【０００４】
本発明は、以上のような問題点に鑑みてなされたものであり、スピーカ搭載型電子機器において、エンクロージャサイズの変化に応じて音響条件を変化させて、音質を向上させることが可能な電子機器、プロジェクタ及び電子機器の制御方法を提供することである。
【課題を解決するための手段】
【０００５】
（１）本発明は、
スピーカ搭載型の電子機器であって、
スピーカのエンクロージャサイズを変更する手段と、
スピーカのエンクロージャサイズを検出する手段と、
エンクロージャサイズの検出結果に基づき音響設定を変化させる音響設定変更手段と、
を含む事を特徴とする。
【０００６】
スピーカのエンクロージャサイズを変更する手段は、操作者が手動で行う構成でもよいし、操作者からのエンクロージャ左図変更にかかる操作入力に基づいて自動で行われる構成でもよい。スピーカのエンクロージャサイズとは、スピーカの筐体のサイズであり、例えばスピーカとその後壁との相対距離を変化させることで変更することができる。
【０００７】
エンクロージャサイズの設定は段階的に変更できるように構成されていてもよいし、連続的に変更できるように構成されていてもよい。
【０００８】
またエンクロージャサイズは段階的に検出されるようにしてもよいし、連続的に検出されるようにしてもよい。
【０００９】
本発明によれば電子機器に搭載されたスピーカのエンクロージャサイズを任意に変更できる機構を持ち、かつエンクロージャサイズに合わせて音響設定を変化させることができるので、スピーカ搭載型電子機器の音質改善を図ることができる。
【００１０】
（２）本発明の電子機器は、
前記音響設定変更手段は、
エンクロージャサイズに応じてイコライジングの設定を変更することを特徴とする。
【００１１】
本発明によればエンクロージャサイズに合わせてイコライジングの設定を変化させることができるので、スピーカ搭載型電子機器の音質改善を図ることができる。
【００１２】
（３）本発明の電子機器は、
前記音響設定変更手段は、
エンクロージャサイズに応じてサラウンドの設定を変更することを特徴とする。
【００１３】
本発明によればエンクロージャサイズに合わせてサラウンドの設定を変化させることができるので、スピーカ搭載型電子機器の音質改善を図ることができる。
【００１４】
（４）本発明の電子機器は、
前記音響設定変更手段は、
エンクロージャサイズが大きくなると、エンクロージャサイズが小さい場合に比べ、低音部を強調するようにイコライジングの設定を変更することを特徴とする。
【００１５】
エンクロージャサイズが大きくなると低音の音がよく出るようになるので、エンクロージャサイズが小さい場合に比べて低音部の音を強調するようにイコライジングの設定を変更することでより深みのある音質に改善することができる。
【００１６】
（５）本発明の電子機器は、
入力情報に基づきエンクロージャサイズと音響設定内容の対応関係を設定する対応関係設定部を含み、
前記音響設定変更手段は、
設定された対応関係に従って音響設定の少なくとも１つを変更することを特徴とする。
【００１７】
例えばユーザーからの操作入力によってエンクロージャサイズと音響条件の関係を設定できるようにしてもよい。このようにすると、ユーザーの嗜好を反映させたエンクロージャサイズに応じた音響設定を実現することができる。
【００１８】
（６）本発明の電子機器は、プロジェクタであることを特徴とする。
【００１９】
プロジェクタは、筐体内に光学系やランプ等のユニットを配置しなければならないため、スピーカ搭載型のプロジェクタでは十分なエンクロージャサイズが確保できず、音質の向上を図る上での制限が多かった。
【００２０】
しかし本発明によれば、コンパクトな筐体で音質のよいスピーカ搭載型のプロジェクタを実現することができる。
【００２１】
（７）本発明は、
スピーカ搭載型の電子機器の制御方法であって、
スピーカのエンクロージャサイズを変更するステップと、
スピーカのエンクロージャサイズを検出するステップと、
エンクロージャサイズの検出結果に基づき音響設定を変化させるステップと、
を含む事を特徴とする。
【発明を実施するための最良の形態】
【００２２】
以下、本発明の好適な実施形態について図面を用いて詳細に説明する。なお、以下に説明する実施の形態は、特許請求の範囲に記載された本発明の内容を不当に限定するものではない。また以下で説明される構成の全てが本発明の必須構成要件であるとは限らない。
【００２３】
以下、本発明の実施形態に係る電子機器について、図面を参照して説明する。
【００２４】
図１は、本実施形態の電子機器１０の機能ブロック図の一例である。本実施形態の電子機器１０はスピーカ２０を搭載している。スピーカ２０は、エンクロージャサイズ２２が変更できるように構成されている。エンクロージャサイズ２２は例えば、ユーザーが手動でエンクロージャスペースの拡大又は縮小を行う構成でもよいし、ユーザーからの操作入力に応じて自動的にエンクロージャスペースの拡大又は縮小を行う構成でもよい。
【００２５】
電子機器１０はスピーカのエンクロージャサイズ検出する検出部３０を含む。検出部３０は、例えばエンクロージャスペースに応じて抵抗値が変化するように構成された可変抵抗器やエンコーダ等で実現するようにしてもよい。
【００２６】
処理部４０は電子機器１０の機能に応じた各種制御を行うもので、マイコン（制御部）４６、デジタルサウンドプロセッサ（ＤＳＰ）４４、オーディオアンプ４２を含む。
【００２７】
デジタルサウンドプロセッサ（ＤＳＰ）４４は、受け取った出力用の音データに対し、イコライジングやサラウンドモードやその他の音響設定に従ってオーディオ信号を生成する。
【００２８】
オーディオアンプ４２は、デジタルサウンドプロセッサ（ＤＳＰ）４４の出力するオーディオ信号を増幅して、スピーカ２０を駆動する。
【００２９】
マイコン（制御部）４６は、検出部３０の検出結果に基づきデジタルサウンドプロセッサ（ＤＳＰ）４４のイコライジング、サラウンドモード又はその他の音響設定の少なくとも１つを変化させるための制御を行う。
【００３０】
すなわちマイコン（制御部）４６及びデジタルサウンドプロセッサ（ＤＳＰ）４４が協働することで、エンクロージャサイズの検出結果に基づきイコライジング、サラウンドモード又はその他の音響設定の少なくとも１つを変化させる音響設定変更手段として機能する。
【００３１】
またマイコン（制御部）４６は、入力情報４８に基づきエンクロージャサイズと音響設定内容の対応関係を設定する対応関係設定部として機能し、設定された対応関係に従って音響設定の少なくとも１つを変更するようにしてもよい。
【００３２】
図２は、本実施の形態の電子機器の一例であるプロジェクタの外観図である。
【００３３】
本実施の形態のプロジェクタ１００はスピーカ１１０−Ｒ、１１０−Ｌを搭載している。図２ではスピーカ一体型であるが、例えばスピーカと本体が分離して設置される構成でもよい。
【００３４】
図３（Ａ）（Ｂ）は、図２のスピーカ部分のエンクロージャの変化前後の様子を上方から見た平面図である。基準状態においては、スピーカ部分１４０は図３（Ａ）に示すように、プロジェクタ１００の筐体内部に収まっている。しかし本実施の形態のプロジェクタ１００は、図３（Ｂ）に示すように、スピーカ部分１４０を筐体の外部に引き出すことができるように構成されている。このようにスピーカの位置を移動させることでてエンクロージャサイズがＥＳ→ＥＳ’に変化する。
【００３５】
図４（Ａ）〜（Ｃ）は、エンクロージャサイズの変化について説明するための図である。
【００３６】
例えばスピーカのエンクロージャスペースは電子機器の筐体１３０と一体的に設けられた凹壁１３０と、移動可能に構成されたスピーカユニット１４０によって構成される。
【００３７】
図４（Ａ）は移動可能に構成されたスピーカユニット１４０が第１の状態にある場合を示している。第１の状態はスピーカユニット１４０が凹壁１３０内に収まっている状態であり、このときのエンクロージャサイズをスピーカの後部に設けられた空間の横方向（音の出力方向）の長さＥＳ１で与える。
【００３８】
図４（Ｂ）は移動可能に構成されたスピーカユニット１４０が第２の状態にある場合を示している。第２の状態はスピーカユニット１４０の後ろ半分は凹壁１３０内に収まっているが、前半分は凹壁１３０外に引き出されている状態であり、このときのエンクロージャサイズをＥＳ２で与える。
【００３９】
図４（Ｃ）は移動可能に構成されたスピーカユニット１４０が第３の状態にある場合を示している。第３の状態はスピーカユニット１４０が、凹壁１３０外に引き出されている状態であり、このときのエンクロージャサイズをＥＳ３で与える。
【００４０】
ここでエンクロージャスペースの大きさ（エンクロージャサイズ）は第１の状態から第３の状態においてＥＳ１＜ＥＳ２＜ＥＳ３と変化する。このように移動可能に構成されたスピーカユニット１４０の凹壁１３０に対する位置を変化させることで、エンクロージャサイズを変化させることができる。
【００４１】
そしてスピーカユニット１４０の基準点Ｋと凹壁１３０との接点（例えばＰ１、Ｐ２、Ｐ３）を検出する検出部（可変抵抗やエンコーダ）を設け、検出部の出力値に基づきエンクロージャサイズを判断するようにしても良い。
【００４２】
検出部の出力値がエンクロージャサイズと比例関係、又は１対１の関係になるように設定してもよい。このようにするとマイコン４６は検出部の出力値に基づいてエンクロージャサイズを判断することができる。
【００４３】
図５は音響設定の一例としてイコライジングを変化させる例について説明するための図である。
【００４４】
例えばスピーカを引き出す前のスピーカの低音部分の再現可能な周波数が１００［Ｈｚ］で（２１０参照）、スピーカを引き出すことによりスピーカの低音部分の再現可能な周波数が２０［Ｈｚ］になった（２１０参照）とする。このようにスピーカを引き出すとスピーカの低音部分の再現性が良くなるため、それに合わせて低音部分が出るようにイコライジングを変化させるようにしてもよい。
【００４５】
エンクロージャサイズと低音部の出力周波数の関係を予め定めておいて、検出されたエンクロージャサイズに対応した出力周波数が出せるようにイコライジングを変化させるようにしてもよい。ここでエンクロージャサイズの変化に応じて連続的にイコライジングを変化させてもよいし、エンクロージャサイズが所定の閾値を超えるタイミングで、イコライジングを変化させてもよい。
【００４６】
また一般にサラウンドはスピーカ同士の距離を開けるほど良くなるが、スピーカ同士の距離が近い場合、無理やり音を広げるようなサラウンドモード(処理)にする。従ってスピーカのエンクロージャサイズが所定値より小さい場合には無理やり音を広げるようなサラウンドモードにして、所定値以上である場合には通常のサラウンドモード（無理やり音を広げないサラウンドモード）に変化させるようにしてもよい。このようにすることで、スピーカ同士の距離を離す場合には、自然なサラウンドモードにすることが出来る。
【００４７】
図６（Ａ）（Ｂ）は、マルチチャネル（例えば５．１ｃｈ）の入力音声を２ｃｈにダウンミックスするサラウンドの処理例を示す図である。図６（Ａ）は入力と出入の接続関係を示した図であり、図６（Ｂ）は出力信号の合成例を示した図である。
【００４８】
なお入力信号を足し合わせる前に、各チャネルの信号レベルを減衰（例えば−３ｄＢ）させてもよい。
【００４９】
また、入力された音声信号から生成した擬似的な残響音を所望の時間遅延させて音声信号に重畳するようにしてもよい。
【００５０】
図７は、本実施の形態の処理の流れを示すフローチャート図である。
【００５１】
検出部がエンクロージャサイズを検出する（ステップＳ１０）。
【００５２】
マイコンは検出値に基づきエンクロージャサイズが変化したか否か判断し、変化したと判断した場合には（ステップＳ２０）、変化後のエンクロージャサイズに応じた音響設定に変更するための制御信号を生成して出力する（ステップＳ３０）。
【００５３】
ＤＳＰは制御信号に応じて音響設定を変更する処理を行う（ステップＳ４０）。ＤＳＰは制御信号に基づいて、例えばイコライジング用のパラメータ（周波数の指定用パラメータ等）や、サラウンドモードのパラメータの変更等を行う。
【００５４】
本発明は、実施の形態で説明した構成と実質的に同一の構成（例えば、機能、方法及び結果が同一の構成、あるいは目的及び効果が同一の構成）を含む。また、本発明は、実施の形態で説明した構成の本質的でない部分を置き換えた構成を含む。また、本発明は、実施の形態で説明した構成と同一の作用効果を奏する構成又は同一の目的を達成することができる構成を含む。また、本発明は、実施の形態で説明した構成に公知技術を付加した構成を含む。
【００５５】
上記実施ではエンクロージャサイズの検出結果に基づきイコライジングやサラウンドモードを変化させる場合を例にとり説明したがこれに限られず、その他の音響設定を変化させる場合でもよい。
【００５６】
またプレーヤからの入力情報に基づきエンクロージャサイズと音響設定内容の対応関係を設定して、設定された対応関係に従って音響設定の少なくとも１つを変更するようにしてもよい。
【００５７】
また、プロジェクタは、液晶パネルを用いたプロジェクタには限定されず、例えば、ＤＭＤ（Digital Micromirror Device）を用いたプロジェクタ等であってもよい。なお、ＤＭＤは、米国テキサス・インスツルメンツ社の商標である。
【図面の簡単な説明】
【００５８】
【図１】本実施形態の電子機器の機能ブロック図。
【図２】本実施の形態の電子機器の一例であるプロジェクタの外観図。
【図３】図３（Ａ）（Ｂ）は、スピーカ部分の位置の変化前後の様子を上方から見た平面図。
【図４】図４（Ａ）〜（Ｃ）は、エンクロージャサイズの変化について説明するための図。
【図５】音響設定の一例としてイコライジングを変化させる例について説明するための図。
【図６】図６（Ａ）（Ｂ）は、マルチチャネルの入力音声を２ｃｈにダウンミックスするサラウンドの処理例を示す図である。
【図７】本実施の形態の処理の流れを示すフローチャート図。
【符号の説明】
【００５９】
１０  電子機器、２０  スピーカ、３０  検出部、４０  処理部、４２  オーディオアンプ、４４  デジタルサウンドプロセッサ（ＤＳＰ）、４６  マイコン
【図１】
2009027595.tif 000003
【図２】
2009027595.tif 000004
【図３】
2009027595.tif 000005
【図４】
2009027595.tif 000006
【図５】
2009027595.tif 000007
【図６】
2009027595.tif 000008
【図７】
2009027595.tif 000009